(57)【要約】【課題】キートップを側方にずらすように操作してもキートップの大きなぐらつきや、キートップどうしの重なりといった過度の変動が生じない安定感のあるキーシートを提供する。【解決手段】底面中央から突出する固着突起１３ｂを有するキートップ１３と、固着突起１３ｂが固着するベースシート１６とを備えるキーシート１０について、キートップ１３の当該固着突起１３ｂが貫通するとともに口縁が固着突部１３ｂの側方に臨む開口１７ａを有し、キートップ１３の側方移動時にキートップ１３に当接してキートップ１３の側方移動を規制する制止板１７を備えることとした。【選択図】図３
2007141662.tif 000002
【特許請求の範囲】
【請求項１】
機器の筐体に形成した操作開口から露出する表層部と、表層部の底面中央から突出する固着突部とを有するキートップと、
固着突部が固着するとともにキートップを押圧変位可能に浮動支持する可動膜と、基板に載置する支持脚とを有するゴム状弾性体でなるベースシートと、を備えるキーシートにおいて、
キートップの固着突部が貫通するとともに口縁が固着突部の側方に臨む開口を有し、キートップの側方移動時にキートップに当接してキートップの側方移動を規制する制止板を備えることを特徴とするキーシート。
【請求項２】
機器の筐体に形成した操作開口から露出するキートップと、
表面から突出しキートップに固着する固着突起と、キートップを押圧変位可能に浮動支持する可動膜と、基板に載置する支持脚とを有するゴム状弾性体でなるベースシートと、を備えるキーシートにおいて、
ベースシートの固着突部が貫通するとともに口縁が固着突部の側方に臨む開口を有し、キートップの側方移動時に固着突起に当接してキートップの側方移動を規制する制止板を備えることを特徴とするキーシート。
【請求項３】
キートップの側方移動時に固着突起が制止板の口縁に当接する請求項１または請求項２記載のキーシート。
【請求項４】
制止板に、その表面からキートップの側方に突出し、キートップの側方移動を規制する敷居突起を設ける請求項１〜請求項３何れか１項記載のキーシート。
【請求項５】
ベースシートの可動膜がキートップへの押込み操作時に制止板から離間する請求項１〜請求項４何れか１項記載のキーシート。
【請求項６】
制止板の開口が固着突起よりは大きくキートップよりは小さい請求項１〜請求項５何れか１項記載のキーシート。
【請求項７】
制止板がベースシートに対して固着せずにベースシート上に載置している請求項１〜請求項６何れか１項記載のキーシート。
【請求項８】
制止板がベースシートの支持脚に固着している請求項１〜請求項６何れか１項記載のキーシート。
【請求項９】
制止板とベースシートの両方に、機器の筐体に設けた位置決め突起と嵌合する取付孔を有する請求項１〜請求項８何れか１項記載のキーシート。
【請求項１０】
ベースシートの表面に遮光層を有する請求項１〜請求項９何れか１項記載のキーシート。
【請求項１１】
ベースシートの表面が面一である請求項１、請求項３〜請求項１０何れか１項記載のキーシート。
【発明の詳細な説明】
【技術分野】
【０００１】
この発明は、携帯電話機、ＰＤＡ、カーナビゲーション装置、カーオーディオ装置など各種電気・電子機器の操作部に使用する押釦スイッチ用のキーシートに関し、特に機器の筐体に設けた一つの操作開口から１又は２以上のキートップを露出させて使用するのに好適なキーシートに関する。
【背景技術】
【０００２】
例えば図１１で示す携帯電話機１０１のように、操作部の小型化やデザイン性などの要請から、筐体１０１ａに形成した一つの操作開口１０１ｂからキーシート１０２の複数のキートップ１０３を密集状態で露出させた押釦スイッチが知られている。こうしたキーシート１０２は、キートップ１０３を保持するベースシート１０４がシリコーンゴムなどの柔軟なゴム状弾性体のみでできているため、携帯電話機１０１の使用時に、例えば、直立させたり、図１２で示すように下向きに倒したりすると、キートップ１０３の重量に負けてベースシート１０４が全体的に歪んでしまうことがある。こうなると、ベースシート１０４の押し子１０４ａと、基板１０５に設けた金属皿ばね１０５ａとの間に位置ずれが生じて、キートップ１０３を押込んでも入力できないという操作不良が生じることがある。
【０００３】
この問題を解消すべく本出願人は、図１３で示すキーシート１１２（特開２００４−３１９３９６；特許文献１）や、図１４で示すキーシート１２２（特開２００４−３６２８９１；特許文献２）を提案している。これらのキーシート１１２，１２２は、ゴム状弾性体でなるベース部１１４ａ，１２４ａを樹脂フィルムや硬質樹脂板などの補強部材でなる補強部１１４ｂ，１２４ｂで補強したベースシート１１４，１２４を備えているため、携帯電話機１０１を倒しても、キーシート１１２，１２２の歪みは生じない。
【特許文献１】特開２００４−３１９３９６
【特許文献２】特開２００４−３６２８９１
【発明の開示】
【発明が解決しようとする課題】
【０００４】
補強部１１４ｂ，１２４ｂを設けたキーシート１１２，１２２は、キーシート１１２，１２２の全体的な歪みの発生を防止することができる。しかしながら、キートップ１１３，１２３が斜め下に押下される、いわゆる斜め押しがなされる場合のように、キートップ１１３，１２３を側方にずらすような力が加えられると、例えば、キーシート１２２では、図１５で示すように、キートップ１２３が側方に大きくぐらついてしまったり、また図１６で示すように、キートップ１２３どうしが重なってしまうことがある。
【０００５】
本発明は、キートップが大きくぐらついたり、重なってしまったりする問題を解決するためになされたものであり、その目的は、キートップを側方にずらすように操作してもキートップの大きなぐらつきや、キートップの重なりといった過度の変動が生じない安定感のあるキーシートを提供することにある。
【課題を解決するための手段】
【０００６】
上記目的を達成すべく本発明は、機器の筐体に形成した操作開口から露出する表層部と、表層部の底面中央から突出する固着突部とを有するキートップと、固着突部が固着するとともにキートップを押圧変位可能に浮動支持する可動膜と、基板に載置する支持脚とを有するゴム状弾性体でなるベースシートと、を備えるキーシートについて、キートップの固着突部が貫通するとともに口縁が固着突部の側方に臨む開口を有し、キートップの側方移動時にキートップに当接してキートップの側方移動を規制する制止板を備えることを特徴とするキーシートを提供する。
【０００７】
機器の筐体に形成した操作開口から露出する表層部と、表層部の底面中央から突出する固着突部とを有するキートップと、固着突部が固着するとともにキートップを押圧変位可能に浮動支持する可動膜と、基板に載置する支持脚とを有するゴム状弾性体でなるベースシートと、を備えるキーシートについて、キートップの固着突部が貫通するとともに口縁が固着突部の側方に臨む開口を有する制止板を設けたため、制止板をベースシートとキートップとの間に配置しながら、キートップとベースシートとを固着することができる。また、キートップの側方移動時にキートップに当接してキートップの側方移動を規制する制止板を設けたため、キートップの側方移動が規制されてキートップが大きくぐらつかず、さらに、制止板がキートップとベースシートとの間に位置するため、押圧操作するキートップをその隣接するキートップにもぐり込ませにくくすることができる。そのため、キートップが側方に押圧されても、キートップが大きくぐらついたり、他のキートップの下にもぐり込んだりする過度な変動が生じない安定感のあるキーシートが得られる。
【０００８】
また、本発明は、機器の筐体に形成した操作開口から露出するキートップと、表面から突出しキートップに固着する固着突起と、キートップを押圧変位可能に浮動支持する可動膜と、基板に載置する支持脚とを有するゴム状弾性体でなるベースシートと、を備えるキーシートについて、ベースシートの固着突部が貫通するとともに口縁が固着突部の側方に臨む開口を有し、キートップの側方移動時に固着突起に当接してキートップの側方移動を規制する制止板を備えることを特徴とするキーシートを提供する。
【０００９】
機器の筐体に形成した操作開口から露出するキートップと、表面から突出しキートップに固着する固着突起と、キートップを押圧変位可能に浮動支持する可動膜と、基板に載置する支持脚とを有するゴム状弾性体でなるベースシートと、を備えるキーシートについて、ベースシートの固着突部が貫通するとともに口縁が固着突部の側方に臨む開口を有する制止板を設けたため、キートップの側方移動が規制されてキートップが大きくぐらつかず、さらに、制止板がキートップとベースシートとの間に位置するため、押圧操作するキートップをその隣接するキートップにもぐり込ませにくくすることができる。そのため、キートップが側方に押圧されても、キートップが大きくぐらついたり、他のキートップの下にもぐり込んだりする過度な変動が生じない安定感のあるキーシートが得られる。
【００１０】
本発明では、キートップの側方移動時に、キートップの固着突起またはベースシートの固着突起が制止板の口縁に当接するキーシートとすることができる。キートップが意図せずに側方に押圧されても、キートップが大きくずれる前に固着突起が制止板の口縁に当接するので、キートップが大きくぐらついたり、他のキートップの下にもぐり込んだりすることがない。そのため、安定感のあるキーシートが得られる。
【００１１】
あるいは、制止板に、その表面からキートップの側方に突出し、キートップの側方移動を規制する敷居突起を設けるキーシートとすることができる。制止板にその表面からキートップの側方に突出し、キートップの側方移動を規制する敷居突起を設けたため、キートップが意図せずに側方に押圧されても、キートップが大きくずれる前にキートップが制止板の敷居突起に当接するので、キートップが大きくぐらついたり、他のキートップの下にもぐり込んだりすることがない。そのため、安定感のあるキーシートが得られる。
【００１２】
そして本発明は、ベースシートの可動膜がキートップへの押込み操作時に制止板から離間するキーシートとすることができる。ベースシートの可動膜がキートップへの押込み操作時に制止板から離間するため、可動膜が制止板に拘束されることなく十分に変形することが可能となる。そのため、キートップの確実な押し込み操作ができる。これは、制止板の開口を小さくしても同様であり、制止板の開口を小さくすれば、確実な押込み操作が可能であるだけでなく、キートップの側方移動時にキートップが制止板の開口縁にすぐに接触するため、キートップが大きくぐらついたり、他のキートップの下にもぐり込んだりすることがない安定感のあるキーシートが得られる。
【００１３】
また本発明は、制止板の開口がキートップの固着突起よりは大きくキートップよりは小さいキーシートとすることができる。制止板の開口をキートップの固着突起よりは大きくキートップそれ自体よりは小さくしたため、キートップの固着突起がベースシートの可動膜に固着したキーシートにおいて、制止板がキートップとベースシートとの間に挟まれ、キートップやベースシートに固着せずとも、取り外せない構造とすることができる。
【００１４】
そして、制止板がベースシートに対して固着せずにベースシート上に載置しているキーシートとすることができる。制止板をベースシートと固着しないため、ベースシートは制止板の拘束を受けずに変動することができ、可動膜の十分な変形によりキートップの確実な押込み操作を行うことができる。
【００１５】
本発明はまた、制止板がベースシートの支持脚に固着しているキーシートとしても構成することができる。制止板をベースシートの支持脚に固着したため、ベースシートと制止板の間の位置ずれを防止することができる。また、支持脚を制止板と固着しても、ベースシートの可動膜の変動に影響を与えることはないため、可動膜の十分な変形を確保することができ、キートップの確実な押込み操作を行うことができる。
【００１６】
あるいは、制止板とベースシートの両方に、機器の筐体に設けた位置決め突起と嵌合する取付孔を有するキーシートとすることができる。制止板とベースシートの両方に、機器の筐体に設けた位置決め突起と嵌合する取付孔を有すれば、該位置決め突起を、制止板、ベースシート双方の取付孔に嵌合することで、制止板とベースシートの双方を位置合わせして動かないよう固定することができる。これにより、制止板とベースシートとが固着していなくとも、制止板とベースシートとの位置ずれを防止することができる。
【００１７】
また、ベースシートの表面に遮光層を有するキーシートとすることができる。ベースシートの表面に遮光層を設け、キートップとキートップの間、またはキートップと機器の操作開口の間に相当する部位を遮光層で覆うことにより、これらの部位から光漏れが生じない照光式キートップとすることができる。
【００１８】
そして、ベースシートの表面が面一であるキーシートとすることができる。ベースシートの表面を面一とすれば、ベースシートの表面に遮光層や着色層などの種々の付加層を設ける場合に、通常の印刷方法で簡単にこれらの層を形成することができる。そのため、安価なキーシートとすることができる。
【発明の効果】
【００１９】
本発明によれば、キートップが大きくぐらついたり、重なってしまったするキートップの過度の変動が生じない安定感のあるキーシートを得ることができる。
【発明を実施するための最良の形態】
【００２０】
以下、本発明の実施の形態について図面を参照しつつ説明する。なお、先に説明した例と共通する構成、各実施形態で共通する構成については、同一の符号を付して重複説明を省略する。なお、以下の説明では、各種機器の一例として携帯電話機１０１に適用する押釦スイッチ用のキーシートについて説明する。
【００２１】
第１実施形態〔図１〜図３、図８〕；  図１、図２には、第１実施形態によるキーシート１０の平面図、底面図を各々示す。また、図３は、図１のＳＡ−ＳＡ線断面図を示す。これらの図で表されるように、本実施形態のキーシート１０は、キートップ１３とベースシート１６、およびキートップ１３とベースシート１６との間に設けた制止板１７で構成されている。
【００２２】
キートップ１３は、文字や記号などが示され入力操作がなされる部分であり、キートップ１３の表側をなし、携帯電話機１０１の筐体１０１ａから露出する表層部１３ａと、該表層部１３ａの底面中央から突出する固着突起１３ｂとで構成される一体形状をなしている。キートップ１３には、熱可塑性樹脂や熱硬化性樹脂などの硬質樹脂を通常用いるが、シリコーンゴムや熱可塑性エラストマーなどのゴム状弾性体を用いることもできる。いわゆる照光式のキートップ１３とする場合は、ポリカーボネートなどの透明な素材を用い、抜き文字状に表面装飾を施すことにより、機器１０１内部からの照光源の点灯で文字部分を照光させることができる。
【００２３】
ベースシート１６はゴム状弾性体でなり、表面が平坦に形成され、底面は回路基板などの基板１０５上に設けた金属皿バネ１０５ａを押圧する押し子１６ａと、基板１０５に載置する支持脚１６ｂが平坦面から突き出している。キートップ１３との固着部分とその周囲は、キートップ１３を押圧変位可能に浮動支持する可動膜１６ｃとなっている。
【００２４】
ベースシート１６に用いられる材質としては、シリコーンゴムの他、スチレン系、エステル系、ウレタン系、オレフィン系、アミド系、ブタジエン系、エチレン−酢酸ビニル系、塩化ビニル系、フッ素ゴム系、イソプレン系、塩素化ポリエチレン系などの熱可塑性エラストマーを挙げることができる。
【００２５】
制止板１７は、キートップ１３への予期せぬ側方移動などが行われた際に、キートップ１３に当接して、過分なキートップ１３の側方移動を規制するものであり、ここではまた、キーシート１０全体の歪みを補強する補強部材としての機能を有するものである。制止板１７は、平板状の一枚板に複数の開口１７ａを有する形状をしており、この開口１７ａにキートップ１３の固着突起１３ｂを貫通させて、開口１７ａの口縁を固着突起１３ｂの側方に臨ませてつつ、ベースシート１６の表面に載置している。制止板１７の材質は、剛性の高いものがキーシート１０全体の歪み抑制の観点から好適であり、金属薄板や硬質の高分子材料などを用いることができる。
【００２６】
金属薄板としては、好ましくはステンレスやアルミニウムなどを用いる。加工性や強度、防錆性、熱伝導性について優れており、また、キーシート１０に静電気が発生し難く、静電気発生による誤入力の防止を図ることができるからである。その厚さは、キーシート１０全体の補強の観点から０．１ｍｍ以上が好ましく、キートップ１３への押込み荷重が大きすぎずに操作性を良くする観点から０．５ｍｍ以下が好ましい。
【００２７】
硬質の高分子材料としては、好ましくは曲げ弾性率が７００ｋｇｆ／ｃｍ２以上、より好ましくは、７０００ｋｇｆ／ｃｍ２以上であり、ポリカーボネート樹脂、ポリメチルメタクリレート樹脂、ポリプロピレン樹脂、ポリスチレン系樹脂、ポリアクリル系共重合樹脂、ポリオレフィン系樹脂、アクリロニトリルブタジエンスチレン樹脂、ポリエステル系樹脂、エポキシ系樹脂、ポリウレタン系樹脂、ポリアミド樹脂、シリコーン系樹脂などからなる硬質樹脂板や硬質樹脂フィルム、または、オレフィン系、スチレン系、エステル系、ウレタン系、アミド系などの硬質の熱可塑性エラストマーを挙げることができる。
【００２８】
硬質の高分子材料の厚さは、キーシート１０全体の補強の観点から０．１５ｍｍ以上が好ましく、キートップ１３への押込み荷重が大きすぎずに操作性を良くする観点から１．５ｍｍ以下が好ましい。特に、硬質樹脂板の場合は、０．１５ｍｍ〜０．５ｍｍの薄板とすることができ、熱可塑性エラストマーの場合は、０．５ｍｍ〜１．５ｍｍの比較的厚い厚板とすることができる。
【００２９】
キートップ１３とベースシート１６、そして制止板１７との接合は、キートップ１３の固着突起１３ｂが、制止板１７の開口１７ａを貫通し、ベースシート１６の可動膜１６ｃとの間で接着剤（図示せず）で固着することでなされている。こうして制止板１７は、キートップ１３やベースシート１６とは固着されずにベースシート１６の表面に載置されている。しかし、制止板の開口１７ａはキートップ１３の固着突起１３ｂよりは大きくキートップ１３の表層部１３ａよりは小さいため、制止板１７はキートップ１３とベースシート１６との間から外れないようになっている。また、キートップ１３の固着突起１３ｂの側方の幅は、開口１７ａの幅よりはわずかに小さく、固着突起１３ｂの端と開口１７ａの口縁との間隔（固着突起１３ｂと開口１７ａとの隙間の幅）は、０．０５ｍｍ〜０．３ｍｍであることが好ましい。また、キーシート１０の周囲にはベースシート１６と制止板１７とのそれぞれに、その両方を貫く取付孔１０ａ，１０ａが設けられており、機器１０１に設けたピン（図示せず）などでなる位置決め突起を取付孔１０ａ，１０ａに通して嵌合することで、ベースシート１６と制止板１７とを正規の位置に固定するとともに、キーシート１０を機器１０１上の正規の位置に位置決めして固定することができる。
【００３０】
キーシート１０を製造するには、まず、キートップ１３、ベースシート１６、制止板１７のそれぞれを予め所定の形状に成形しておく。次に複数のキートップ１３を適当な治具を用いて所定の間隔に配置した上に、制止板１７を位置決めしながらキートップ１３の底面側に配置する。そして、ベースシート１６の可動膜１６ｃか、キートップ１３の固着突起１３ｂの底面に接着剤を塗布する。それから制止板１７とキートップ１３にベースシート１６を対向させてキートップ１３の固着突起１３ｂと可動膜１６ｃとが重なるように接着する。こうして、キーシート１０が得られる。
【００３１】
次にこのキーシート１０の作用、効果について説明する。
【００３２】
キートップ１３への正規の入力操作となる、キートップ１３の表面を水平方向に対して垂直に押下する押し込み操作がなされる時には、ベースシート１６と制止板１７とが固着していないため、該押込み方向で制止板１７と重なり合い、開口１７ａよりも図中Ｌだけ幅広に形成される可動膜１６ｃであっても、図４で示すように、ベースシート１６が制止板１７に拘束されずに、その可動膜１６ｃが制止板１７の開口１７ａの口縁から離間し、十分に撓み、伸びることで、スムーズな入力操作がなされる。これに対し、キートップ１３への意図しない操作となる側方への押圧操作がなされる時には、図５で示すように、固着突起１３ｂと開口１７ａとの間隔Ｄ１が狭いため、固着突起１３ｂがＤ１だけ変位すると、ベースシート１６の表面から突き出して設けられている制止板１７の開口１７ａにすぐに接触し、それ以上の側方への移動がなされない。そのため、キートップ１３が大きくぐらつくことがない。
【００３３】
この点につき、比較のため図１４で示す従来のキーシート１２２を見てみると、図６で示すように、正規の押し込み操作時における可動膜の変位においては、キーシート１０とほとんど相違はない。しかしながら、図７で示すように、キーシート１２２では、側方への意図せぬ押圧操作がなされると、キートップ１２３の固着突起１２３ｂと補強部１２４ｂとの間隔Ｄ２が広いため、固着突起１２３ｂが大きく変位することがあり、横方向へのぐらつきが生じる可能性がある。すなわち、キーシート１０はキーシート１２２に比べてぐらつき防止に優れていることがわかる。
【００３４】
次に、本実施形態の一つの変更例を図８で示す。図８で示すキーシート２０は、ベースシート１６の表面に遮光層２８を設けたものである。いわゆる照光式キートップとする場合に、制止板１７が金属薄板などで形成され遮光性となっていれば遮光層２８を設ける必要はないが、透明な硬質樹脂板などで制止板１７が形成される場合は、遮光層２８を設けることでキートップ１３どうしの隙間から光漏れを起こさない高品質のキーシート２０とすることができる。遮光層２８は、ベースシート１６の表面が平坦であるため、光を遮断可能なインキを用い通常の印刷手法にて、簡単に形成することができる。
【００３５】
第２実施形態〔図９〕；  図９には、第２実施形態によるキーシート３０の断面図を示す。キーシート３０が第１実施形態で示すキーシート１０と異なるのは、制止板３７の形状である。すなわち、キーシート３０における制止板３７は、その表面からキートップ１３の表層部１３ａの側方にまで板状に突出し、隣接する２つの表層部１３ａの外周面１３ｃ間にその先端が位置する敷居突起３７ｂを有する点である。制止板３７は、高分子材料の射出成形により簡単に得ることができる。
【００３６】
こうした制止板３７を有するキーシート３０は、制止板３７に設けた開口３７ａとキートップ１３の固着突起１３ｂとの間隔が広い場合であっても、意図せぬキートップ１３の側方操作がなされた時に、キートップ１３が大きく移動する前に、キートップ１３の外周面１３ｃがすぐに制止板３７の敷居突起３７ｂに接触するため、キートップ１３が大きくぐらついたり、他のキートップ１３と重なったりすることを防止することができる。
【００３７】
第３実施形態〔図１０〕；  図１０には、第３実施形態によるキーシート４０を示す。第１、第２実施形態のキーシート１０，２０，３０とは異なり、第３実施形態のキーシート４０では、キートップ４３が固着突起を有しない表層部４３ａだけでなる形状を有し、ベースシート４６が、その表面から突出しキートップ４３と固着する基台部４６ｄを有するキーシートである。
【００３８】
キーシート４０では、意図せぬ側方移動操作がなされると、基台部４６ｄが制止板１７に当接することにより、キートップ４３が大きくぐらついたり、他のキートップ４３と重なったりすることはない。
【００３９】
実施形態の変更例；  第１実施形態の変更例では、遮光層２８をベースシート１６の上に設けたが、制止板１７の上に設けることもできる。また、キートップ１３への文字や記号等の表示部の形成は、抜き文字印刷を施す他、キートップ１３の表面や裏面に文字印刷を行うなど種々の公知の手法を用いることができる。
【００４０】
また、上記実施形態では、制止板１７，３７はベースシート１６と固着していないが、ベースシート１６の支持脚１６ｂの表面で制止板１７，３７と固着することができる。こうすることで制止板１７とベースシート１６との位置ずれを防止することができる。
【００４１】
上記実施形態では、制止板１７，３７をキーシート１０，２０，３０，４０の全体の剛性を付与する補強部材としても機能させているが、キーシート１０，２０，３０，４０の剛性を補うまでには機能しない軟質の材料を用いることができる。また、制止板１７，３７とは別の硬質樹脂や金属でなる補強部材を設けることも可能である。例えば、キーシート１１２，１２２に、上記実施形態で示した制止板１７，３７を設けることもできる。
【００４２】
キートップを第１実施形態で示すキートップ１３の形状とし、ベースシートを第３実施形態で示すベースシート４６の形状として、キートップ１３の固着突起１３ｂとベースシート４６の基台部４６ｄとを固着する構造とすることもできる。
【図面の簡単な説明】
【００４３】
【図１】第１実施形態によるキーシートの平面図。
【図２】第１実施形態によるキーシートの底面図。
【図３】図１のキーシートのＳＡ−ＳＡ線断面図。
【図４】第１実施形態のキーシートを正規の方向に押し込み操作した場合の模式断面図。
【図５】第１実施形態のキーシートのキートップと制止板との間隔を示す模式断面図。
【図６】従来のキーシートを正規の方向に押し込み操作した場合の模式断面図。
【図７】従来のキーシートのキートップと補強部との間隔を示す模式断面図。
【図８】第１実施形態の変更例であるキーシートの図３相当断面図。
【図９】第２実施形態によるキーシートの図３相当断面図。
【図１０】第３実施形態によるキーシートの図３相当断面図。
【図１１】携帯電話機の外観図。
【図１２】従来のキーシートを装着した携帯電話機を傾倒させた状態を示す概略断面図。
【図１３】従来のキーシートの図３相当断面図。
【図１４】別の従来のキーシートの図３相当断面図。
【図１５】図１４で示す従来のキーシートのキートップを側方に押圧した場合の模式断面図。
【図１６】図１４で示す従来のキーシートのキートップの端を斜め方向に押圧した場合の模式断面図。
【符号の説明】
【００４４】
１０，２０，３０，４０    キーシート
１０ａ    取付孔
１３，４３    キートップ
１３ａ，４３ａ    表層部
１３ｂ    固着突起
１３ｃ，４３ｃ    外周面
１６，４６    ベースシート
１６ａ，４６ａ    押し子
１６ｂ，４６ｂ    支持脚
１６ｃ，４６ｃ    可動膜
４６ｄ    基台部
１７，３７    制止板
１７ａ，３７ａ    開口
３７ｂ    敷居突起
１０１    携帯電話機
１０１ａ    筐体
１０１ｂ    操作開口
１０２，１１２，１２２    キーシート
１０３，１１３，１２３    キートップ
１０４，１１４，１２４    ベースシート
１０４ａ    押し子
１１４ａ，１２４ａ    ベース部
１１４ｂ，１２４ｂ    補強部
１０５    基板
１０５ａ    金属皿バネ
【図１】
2007141662.tif 000003
【図２】
2007141662.tif 000004
【図３】
2007141662.tif 000005
【図４】
2007141662.tif 000006
【図５】
2007141662.tif 000007
【図６】
2007141662.tif 000008
【図７】
2007141662.tif 000009
【図８】
2007141662.tif 000010
【図９】
2007141662.tif 000011
【図１０】
2007141662.tif 000012
【図１１】
2007141662.tif 000013
【図１２】
2007141662.tif 000014
【図１３】
2007141662.tif 000015
【図１４】
2007141662.tif 000016
【図１５】
2007141662.tif 000017
【図１６】
2007141662.tif 000018